(57)【特許請求の範囲】
【請求項１】
音声交換機及びＤＳＬ交換機によってサービスを提供されているメタル加入者回線の回線テストを実現するシステムにおいて、
前記加入者回線と第一メタル回線テストバスとを接続し前記加入者回線を音声帯域回路から切り離すように設定された第一群のリレーを介して当該第一メタル回線テストバスへ接続されている音声周波数回線カードと、
前記加入者回線と第二メタル回線テストバスとを接続し前記加入者回線をＤＳＬ回路から切り離すように設定された第二群のリレーを介して当該第二メタル回線テストバスへ接続されているＤＳＬ回線カードと、
前記第一群のリレーを介して前記第一メタル回線テストバスに接続され前記第二群のリレーを制御し全回線スペクトルに亘ってメタル回線テストを実現する信号を送出するように設定された音声交換機メタル回線テストシステムと、
前記第二群のリレーを介して前記第二メタル回線テストバスに接続され前記第一群のリレーを制御し全回線スペクトルに亘ってメタル回線テストを実現する信号を送出するように設定されたＤＳＬメタル回線テストシステムと
からなることを特徴とする加入者回線テストシステム。
【請求項２】
前記音声周波数回線カードが、ＤＳＬ対応可能なＰＯＴＳ回線カードを含むことを特徴とする請求項１に記載の加入者回線テストシステム。
【請求項３】
前記音声周波数回線カードが、ＤＳＬ対応可能なＩＳＤＮ回線カードを含むことを特徴とする請求項１に記載の加入者回線テストシステム。
【請求項４】
前記音声メタルテストシステムが前記加入者回線を要求する場合、ＤＳＬ回線カードを知らせるために音声交換機中に信号手段を更に含むことを特徴とする請求項１に記載の加入者回線テストシステム。
【請求項５】
前記ＤＳＬメタルテストシステムが前記加入者回線をテストする前に音声信号が存在するか否かを検出する手段を更に含むことを特徴とする請求項１に記載の加入者回線テストシステム。
【請求項６】
音声交換機中の音声回線カード及びＤＳＬ交換機中のＤＳＬ回線カードの双方に接続された加入者回線を前記音声交換機中のメタル回線テストユニットからテストする方法において、
（Ａ）  前記音声回線を前記加入者回線から切り離すステップと、
（Ｂ）  前記音声交換機メタル回線テストユニットを前記加入者回線に接続するステップと、
（Ｃ）  テストメッセージを前記ＤＳＬ回線カード宛に送出するステップと、
（Ｄ）  前記テストメッセージに応答して前記ＤＳＬ回線カードを前記加入者回線から切り離すステップと、
（Ｅ）  前記加入者回線を前記音声交換機メタル回線テストユニットによってテストするステップと、
（Ｆ）  前記ＤＳＬ回線カードを再び接続する接続ステップと、
（Ｇ）  前記音声回線カードを再び接続する接続ステップと
からなることを特徴とする加入者回線テスト方法。
【請求項７】
前記方法が、さらに、
（Ｈ）  前記加入者回線上の前記ＤＳＬ周波数において伝送がなされているか否かを決定するステップ
を有しており、前記テストメッセージを前記ＤＳＬ回線カード宛に送出する前記ステップ（Ｃ）が、前記ＤＳＬ周波数において伝送がなされていないという決定に応答していることを特徴とする請求項第６項に記載の加入者回線テスト方法。
【請求項８】
前記テストメッセージを前記ＤＳＬ回線カード宛に送出する  前記ステップ（Ｃ）が、
（Ｃ１）  前記音声回線カードの動作周波数範囲と前記ＤＳＬ回線カードの動作周波数範囲との間の周波数範囲における信号を生成する生成ステップ
を有していることを特徴とする請求項第６項に記載の加入者回線テスト方法。
【請求項９】
前記（Ｃ１）生成ステップが、
（Ｃ１．１）  １０−１６ｋＨｚの周波数範囲のＡＣ信号を生成するステップ
を有していることを特徴とする請求項第８項に記載の加入者回線テスト方法。
【請求項１０】
前記方法が、さらに、
（Ｉ）  前記加入者回線テストステップ（Ｅ）の前にタイマーをセットするステップ
を含んでおり、
前記音声回線カード再接続ステップＦ及び前記ＤＳＬ回線カード再接続ステップ（Ｇ）が、それぞれ前記タイマーの時間満了に応答している
ことを特徴とする請求項第６項に記載の加入者回線テスト方法。
【発明の詳細な説明】
【０００１】
【発明の属する技術分野】
本発明は高速データサービス及び音声サービスを提供する電話加入者回線の分野に関し、特に、この種のメタル回線のテストに関する。
【０００２】
【従来の技術】
最近の新しいテクノロジーは、高速データサービスを提供する目的で、埋設された音声電話インフラストラクチャを利用する。このサービスは、一般には“デジタル加入者回線”（ＤＳＬ）サービスと呼称されており、多くのマーケットにおいて利用可能である。ＤＳＬは、例えば、非対称ＤＳＬ（ＡＤＳＬ、すなわち、上り回線と下り回線とが相異なった帯域を有する）、対称ＤＳＬ（ＳＤＳＬ、すなわち、上り回線と下り回線とが同一の帯域を有する）、及び、その他の変形（本明細書においては、“ＸＤＳＬ”あるいは単に“ＤＳＬ”で表わす）など、いくつかの異なった方式で実装される。多くのＸＤＳＬテクノロジーは、高速データ信号を、旧来の通常電話サービス（“ＰＯＴＳ”）あるいは統合サービスデジタルネットワーク（“ＩＳＤＮ”）サービスの双方を担う周波数範囲よりもはるかに高い周波数範囲へ符号化することによって、高速データサービスを現行のチップリング対（tip-ring pair）を介して実現する。つまり、チップリング対より構成される一つの加入者回線が、音声サービス及び高速データサービスの双方を実現することが可能である。
【０００３】
この、急速に成長しつつあるマーケットに参入しているサービスプロバイダが直面している一つの問題が、回線のメンテナンスである。詳細に述べれば、ほとんどの監督官庁が、当業者には公知のパワークロス、過電圧などに関して各加入者回線がテストされることを要求する。しかしながら、現行の音声サービスプロバイダはＤＳＬサービスプロバイダとは異なっている場合があり、（当業者間では、“直流から光まで”として知られている）全周波数スペクトル範囲に亘る回線のテストは、新しく、かつ、比較的複雑かつ高価な装置を必要とする。
【０００４】
図１は、従来技術に係るメタル回線テストシステムが、メタル加入者回線５のテストに関連して示されている。加入者回線５は、音声及びＤＳＬサービスの双方に加入している。交換局１０には、音声交換機１２及びデジタル加入者回線アクセスマルチプレクサ（ＤＳＬＡＭ）１４が存在し、加入者回線５に対して音声及びデータサービスをそれぞれ提供する。音声交換機１２は、当業者には公知の回線カード１６によって加入者回線５に接続されている。回線カード１６は、加入者回線５を介してアナログ信号を送受信し、交換ネットワークにおいて用いられるパルス符号化変調（ＰＣＭ）データとの間の信号を処理する処理ユニット１８を含んでいるが、このことは当業者には公知である。ＤＳＬＡＭ１４は、回線５からのデータをトランシーバ２２を介してデータネットワークとの間で送受信する回線カード２０を含んでいる。
【０００５】
音声交換機１２、詳細に述べれば処理ユニット、１８は、加入者回線５を介して伝達される０−４ｋＨｚの範囲のアナログ信号をサポートする。一般に、ＤＳＬＡＭ１４、詳細に述べれば回線カード２０乗のトランシーバ２２、は、加入者回線５を介して伝達される３２−１，１００ｋＨｚの範囲の信号をサポートする。
【０００６】
ＤＳＬは、従来技術に係る音声サービス回線カードとコンパチブルではない周波数特性、及び、より重要な点であるが、電力特性を導入する。逆に、音声サービスは、ＤＳＬデータと干渉する特性を有するＤＣ電力を利用する。それゆえ、スプリッタ２４が、音声回線カード１６上のプロセッサ１８における処理及びＤＳＬ回線カード２０に関して、加入者回線５から不要な特性をフィルタリングする目的で設置される。音声信号を増強する目的で、スプリッタ２４はローパスフィルタ２６を含んでいる。これは、ＤＳＬ信号の高電圧を減衰させ、高周波ＤＳＬ信号を原則的に濾波するように機能する。ＤＳＬ信号を増強するためには、加入者回線５上のＤＣ成分が、スプリッタ２４内のキャパシタ３０と回線カード２０上のキャパシタ２８とによって濾波される。
【０００７】
従来技術においては、音声交換機が、種々の故障に関して回線５をテストするための音声交換機メタル回線テストユニット３２を有することが公知である。メタルテストユニット３２は、メタル回線テストバス３４を介して回線５に接続されている。メタル回線テストバス３４は、常時閉のリレー３８及び常時開のリレー４０より構成されるリレー群３６を介して接続されている。このリレー群３６は、メタル回線テストユニット３２が回線５をテストする際には、回線カード１６上の処理ユニット１８の回路を保護する目的で反転させられる。同様にＤＳＬＡＭ１４は、ＤＳＬＡＭメタル回線テストユニット４２を含んでおり、これは、テストバス４４を介して、常時閉のリレー４８及び常時開のリレー５０より構成されるリレー群４６に接続され、最終的に回線カード２０に対して接続されている。
【０００８】
メタル回線テストユニット３２あるいは４２が利用可能な経路をスプリッタ２４を介して実現するためには、上記以外にいくつかの付加的コンポーネントがスプリッタ２４内に含められなければならない。例えば、音声交換機メタル回線テストユニット３２から回線５をテストするためには、スプリッタ２４が存在するために生じる電圧損失を音声交換機メタル回線テストユニット３２に通知する目的で、シグナチャ５２が存在していなければならない。シグナチャ５２が存在しない場合には、ケーブルが破損しているといったあらゆる予測が不正確になる可能性がある。
【０００９】
【発明が解決しようとする課題】
さらに、音声経路が現時点で使用中であるか否かを検出する目的で、デテクタ５４がスプリッタ２４内に追加される必要がある。メタル回線テストユニット４２が回線５をテストしようとしていることをプロセッサ５８に通知する、ＤＳＬＡＭメタル回線テストユニット４２からの信号を検出するためには、付加的なデテクタ５６が必要とされる。このテストが行なわれる際には、ＤＳＬＡＭメタル回線テストユニット４２からのテストが音声交換機１２内の回線カード１６と干渉しないようにするために、プロセッサ５８は常時開のリレー６０を閉じて常時閉のリレー６２を開く。これら全ての付加ユニットは、単にコスト的に問題であるのみならず、動作させるために電源６４が必要となる。そのため、これら全てのユニットは、当業者には公知なことであるが、診断され、フューズで保護され、管理され、アラームが設置されることなどが必要になる。
【００１０】
【課題を解決するための手段】
上記問題点は、本発明に係る、音声及びＤＳＬサービスを提供するメタル加入者回線のテストを行なうシステム及び方法によって解決され、技術的前進が実現される。音声サービスは音声交換機によって実現され、ＤＳＬサービスはデジタル加入者回線アクセスマルチプレクサ（ＤＳＬＡＭ）によって提供される。これら各々が、メタル回線テストユニットを含んでいる。音声交換機内の音声回線カードは、第一リレー群を介して音声交換機メタル回線テストユニットに接続された第一メタル回線テストバスに接続されている。前記第一リレー群は、テストが実行される際には、メタル回線テストバスを加入者回線へ接続し、加入者回線を回線カード上の音声信号から切り離すように設定されている。ＤＳＬＡＭカード内のＤＳＬ回線は第二メタル回線テストバスに接続されており、これは、ＤＳＬＡＭメタル回線テストユニットと加入者回線との間に接続されている。第二リレー群が、メタル回線テストバスの加入者回線への接続を制御する。
【００１１】
この環境においては、音声交換機メタル回線テストシステムは、ＤＳＬ回線カードを切り離すように第二リレー群を制御し、全回線スペクトル（ＤＣから光まで）に亘るメタル回線テストを実現する信号を送出するように設定される。第二メタル回線テストバスに接続されたＤＳＬメタル回線テストユニットは、ＤＳＬ回線カードを切り離すように第一リレー群を制御し、ＤＣから光までに亘るメタル回線テストを実現する信号を送出するように設定される。本発明に係るシステム及び方法の有利な点は、メタル回線テストに先立って、音声回線あるいはＤＳＬ回線にトラフィックが存在するか否かについての決定がなされることである。その後、メタル回線テストが実行され、次いで、例えばタイマーがリレー群をそれぞれ元の状態に復帰させる。さらに、各回線カード上のデテクタが、メタル回線テストユニットからの帯域外信号を検出し、リレーを動作させる。
【００１２】
【発明の実施の形態】
図２は、本発明の原理に従って、音声交換機２００及びデジタル加入者回線アクセスマルチプレクサ（ＤＳＬＡＭ）すなわちＤＳＬ交換機２０２の双方からメタル加入者回線テストを実行するシステムを示す模式図である。ＤＳＬ対応可能なＰＯＴＳ回線カード２０４が、パルス符号化変調（ＰＣＭ）接続２０６を介して、音声交換機２００の交換機コアに接続されている。ＤＳＬ対応可能ＰＯＴＳ回線カード２０４は、さらに、メタル回線テストバス２１０を介して、音声交換機２００メタル回線テストユニット２０８に接続されている。本明細書における記述では、旧来の通常電話サービス（ＰＯＴＳ）には、統合サービスデジタルネットワーク（ＩＳＤＮ）サービスも含まれる。ＰＯＴＳ及びＩＳＤＮの双方は、同一の低周波数帯域を使用し、同様の、ある場合には全く同一の方法で、メタル回線テストを実行する。前述されているＤＳＬ対応可能回線カードは、２０００年８月２８日付けの米国特許出願第０９／６５０，０５０号においてより詳細に記述されており、当該特許出願は本発明の参照文献である。本明細書において記述されている回線カードの実施例は単に例示的なものである。当業者が、この実施例を、本明細書の特許請求の範囲に記載された範疇を離れること無く、回線カードに係る相異なった要求を充たすように修正することは容易である。
【００１３】
ＤＳＬ対応可能回線カード２０４は、四つの主要なコンポーネントを有している。図２に示された実施例に従うと、ＤＳＬ対応可能回線カード２０４は、補償デジタル信号プロセッサ２１２、コーデックすなわちデジタル／アナログ及びアナログ／デジタルコンバータ２１４及びバッテリフィーダ２１６を有している。さらに、二次ローパスフィルタ２１８も含まれている。ＰＯＴＳ回線カード２０４の機能に係るより詳細な記述に関しては、前掲の米国特許出願第０９／６５０，０５０号を参照。
【００１４】
さらに、本発明に従って、メタル回線テストバスとチップリング対２２との間の接続及び切断を行なう二組のリレー対２２０及び２２２が含まれている。各リレー対２２０及び２２２は、それぞれ、チップリング対２２をローパスフィルタ２１８に通常接続している常時閉のリレー２２４と常時開のリレー２２６とを有している。これらのリレーは、プロセッサ２２８によって制御される。メタル回線テストが実行される際には、プロセッサ２２８は、リレー２２４を開いてリレー２２６を閉じ、音声交換機メタル回線テストユニット２０８をメタル回線テストバス２１０を介して（及び、コンポーネント２１２、２１４、２１６及び２１８を敏感な回路にダメージを与えかねないような電圧および信号が存在しているメタル回線テストバス及び回線から切り離すことによって）チップリング対２２に接続する。
【００１５】
同様に、ＸＤＳＬ回線カード２４０は、チップリング対２２上の信号を送受信する。ＸＤＳＬ回線カード２４０は、キャパシタ２４２として示されているＤＣブロック及び低周波数濾波フィルタを有している。トランシーバ２４４は、チップリング対２２を介してデータを送受信し、回線２４６を介してデータネットワークとの間でのデータの送受信を行なう。
【００１６】
ＸＤＳＬ回線カード２４０は、さらに、常時閉のリレー２５４及び常時開のリレー２５６より構成される二組のリレー対２５０及び２５２を有している。音声回線カードの場合と同様、チップリング対２２に関するメタル回線テストがメタル回線テストユニット２５８によってＤＳＬＡＭから実行される場合には、プロセッサ２５７は、リレー対２５０及び２５２に、リレー２５４を開かせてリレー２５６を閉じさせ、ＤＳＬＡＭメタル回線テストユニット２５８をメタル回線テストバス２６０を介してチップリング対２２に接続させる。後に図３及び図４に関連して詳述されているように、ある場合には、デテクタ２６２及び２６４（破線で示されている）が、メタル回線ユニット２０８及び２５８のいずれかがテストを実行中であることを検出する。
【００１７】
図３は、チップリング対２２をテストするＤＳＬＡＭメタル回線ユニット２５８を制御するための流れ図である。処理は段階３００より開始され、段階３０５に進んで、プロセッサ２５７が、リレー対２５０及び２５２に、常時閉のリレー２５４を解放させて常時開のリレー２５６を閉じさせ、このことによってトランシーバ２４４をチップリング対２２から切り離させる。この動作により、ＤＳＬＡＭメタル回線テストユニット２５８がメタル回線テストバス２６０を介してチップリング対２２に接続される。その後、処理は決定段階３１０へ進み、音声周波数においてデータ伝送がなされているか否かに関する決定がなされる。この段階は、ＤＳＬＡＭメタル回線テストユニット２５８からメタル回線テストバス２６０及びチップリング対２２経由でデテクタ２６２あるいはローパスフィルタ２１８及びフィード２１６を介してコーデック２１４へ信号を送出することによって実現される。この実施例においては、前記信号は、１０−１６ｋＨｚの（すなわち、音声帯域とＸＤＳＬ帯域との間の）ＡＣ信号である。他の周波数のＡＣ信号あるいはＤＣ信号も利用可能である。このＡＣ信号は受信され、プロセッサ２２８に対して、ＤＳＬＡＭメタル回線テストユニット２５８がチップリング対２２をテストしようとしていることが通知される。この信号は、デテクタ２６２、コーデック２１４あるいはフィード２１６のいずれかによって受信される。その後、プロセッサ２２８は、現時点で音声が処理されているか否かを決定する目的で、コーデック２１４を調べる。あるいは、デテクタ２６２もしくはＤＳＬＡＭメタル回線テストユニット２５８そのものが、チップリング対２２上の音声周波数帯域に所定の閾値を越えるエネルギーが存在するか否かを決定することも可能である。応答は、デテクタ２６２あるいはコーデック２１４からチップリング対２２及びメタル回線テストバス２６０を介してＤＳＬＡＭメタル回線テストユニット２５８に対して返送される。音声周波数帯域での伝送がなされている場合には、当該活動が終了するまでメタル回線テストが延期される。
【００１８】
決定段階３１０において、音声周波数帯域における伝送がなされていないと判断された場合には、テストメッセージが音声回線カード３２０宛に送出される。このテストメッセージも、音声帯域とＤＳＬ帯域との間の帯域、すなわち、１０−１６ｋＨｚの範囲におけるＡＣ信号帯域で送出される。デテクタ２６２（存在する場合）、コーデック２１４あるいはフィード２１６がプロセッサ２２８にこの信号の存在を通知する。プロセッサ２２８は、リレー対２２０及び２２２に、常時閉のリレー２２４を解放させて常時開のリレー２２６を閉じさせる（段階３３０）。処理は段階３４０へ進み、プロセッサ２２８内でタイマーがセットされる。デテクタ２６２が存在する場合には、タイマーがセットされる必要はない。段階３５０では、ＤＳＬＡＭメタル回線テストユニット２５８が、チップリング対２２を“ＤＣから光まで”テストすることが可能になる。
【００１９】
段階３５０におけるテストが完了すると、段階３６０において、デテクタが存在するか否かについての決定がなされる。デテクタが存在する場合には、“テスト終了”メッセージがデテクタ２６２宛に送出される（段階３７０）。その後、デテクタ２６２は、プロセッサ２２８に、リレー対を元の状態に戻させる（段階３８０）。あるいは、タイマーがタイムアウトした場合には、プロセッサ２２８はリレーを元の状態に戻す。処理は段階３９０で終了する。
【００２０】
図４は、音声メタル回線テストユニット２０８からのテストに係る流れ図である。この流れ図は、図３に示されたものと非常によく似ている。処理は段階４００から開始され、段階４０５へ進んで、プロセッサ２２８が、リレー対２２０及び２２２に、常時閉のリレー２２４を解放させて常時開のリレー２２６を閉じさせ、そのことによって、ローパスフィルタ２１８及び他のＤＳＬ対応可能回線カード２０４をチップリング対２２から切り離す。さらに、この動作により、音声交換機メタル回線テストユニット２０８が、メタル回線テストバス２１０を介してチップリング対２２に接続される。その後、処理は決定段階４１０へ進み、ＤＳＬでの伝送がなされているか否かに関する決定がなされる。この段階は、チップリング対２２を介して、デテクタ２６４あるいはトランシーバ２４４宛に信号を送出することによって実現されうる。より詳細に述べれば、音声帯域とＸＤＳＬ帯域の間に位置する１０−１６ｋＨｚの範囲のＡＣ信号を送出することによって実現される。その後、プロセッサ２５７は、ＤＳＬでの（この実施例においては、アイドルコード以外の）伝送がなされているかを決定する目的でトランシーバ２４４に問い合わせを行なうか、あるいは、デテクタ２６４が、チップリング対２２上にＤＳＬ周波数帯域のエネルギーが所定の閾値を越えて存在するか否かを決定する。応答は、音声交換機メタル回線テストユニット２０８宛に返送される。ＤＳＬ帯域での伝送がなされている場合には、処理は、当該伝送が終了するまで待機する。あるいは、音声交換機メタル回線テストユニット２０８そのものが、チップリング対２２上でＤＳＬ帯域での伝送がなされているか否かを決定することも可能である。
【００２１】
決定段階４１０においてＤＳＬ帯域での伝送がなされていないと決定された場合には、テストメッセージがＤＳＬ回線カード２４０宛に送出される。このテストメッセージも、１０−１６ｋＨｚの範囲のＡＣ信号である。デテクタ２６４あるいはトランシーバ２４４が、この信号の存在をプロセッサ２５７に対して通知する。プロセッサ２５７は、リレー対２５０及び２５２に、常時閉のリレー２５４を解放させて常時開のリレー２５６を閉じさせる（段階４３０）。処理は段階４４０へ進み、プロセッサ２５７内のタイマーがセットされる（存在する場合）。あるいは、デテクタ２６４が存在する場合にはタイマーは不要である。段階４５０では、音声交換機メタル回線テストユニット２０８が、チップリング対２２を“ＤＣから光まで”テストすることが可能になる。
【００２２】
段階４５０におけるテストが完了すると、段階４６０において、デテクタが存在するか否かについての決定がなされる。デテクタが存在する場合には、“テスト終了”メッセージがデテクタ２６４宛に送出される（段階４７０）。その後、デテクタ２６４は、プロセッサ２５７に、リレー対を元の状態に戻させる（段階４８０）。あるいは、タイマーがタイムアウトした場合には、プロセッサ２５７はリレーを元の状態に戻す。処理は段階４９０で終了する。
【００２３】
以上の説明は、本発明の一実施例に関するもので，この技術分野の当業者であれば、本発明の種々の変形例が考え得るが、それらはいずれも本発明の技術的範囲に包含される。
【００２４】
【発明の効果】
以上述べたごとく、本発明によれば、音声及びＤＳＬサービスを提供するメタル加入者回線のテストを行なうシステム及び方法が提供される。
【００２５】
特許請求の範囲の発明の要件の後に括弧で記載した番号がある場合は、本発明の一実施例の対応関係を示すものであって、本発明の範囲を限定するものと解釈すべきではない。
【図面の簡単な説明】
【図１】  従来技術に従ってＸＤＳＬが提供されている場合の中央側局内装置を模式的に示すブロック図。
【図２】  本発明の実施例に従って、音声交換機及びＤＳＬ交換機の双方から加入者メタル回線のテストを行なうシステムを模式的に示すブロック図。
【図３】  図２に示されたシステムにおける音声メタル回線テストシステムの動作を示す流れ図。
【図４】  図２に示されたシステムにおけるＸＤＳＬメタル回線テストシステムの動作を示す流れ図。
【符号の説明】
１０  交換局
１２  音声交換機
１４  ＤＳＬアクセスマルチプレクサ（ＤＳＬＡＭ）
１６  音声回線カード
１８  プロセッサ
２０  ＤＳＬ回線カード
２２  トランシーバ
２４  スプリッタ
２６  ローパスフィルタ
２８、３０  キャパシタ
３２  音声交換機メタル回線テストユニット
３４  メタル回線テストバス
３６  リレー群
３８、４０  リレー
４２  ＤＳＬＡＭメタル回線テストユニット
４４  メタル回線テストバス
４６  リレー群
４８、５０  リレー
５２  シグナチャ
５４、５６  デテクタ
５８  プロセッサ
６０、６２  リレー
６４  電源
２００  音声交換機
２０４  ＤＳＬ対応可能回線カード
２０６  パルス符号化変調接続
２０８  音声交換機メタル回線テストユニット
２１０  メタル回線テストバス
２１２  補償ＤＳＰ
２１４  コーデック
２１６  フィーダ
２１８  ローパスフィルタ
２２０、２２２  リレー対
２２４、２２６  リレー
２２８  プロセッサ
２４０  ＤＳＬ回線カード
２４２  キャパシタ
２４４  トランシーバ
２４６  回線
２５０、２５２  リレー対
２５４、２５６  リレー
２５７  プロセッサ
２５８  ＤＳＬＡＭメタル回線テストユニット
２６２、２６４  デテクタ
【図１】
0003905733.tif 000002
【図２】
0003905733.tif 000003
【図３】
0003905733.tif 000004
【図４】
0003905733.tif 000005